(57)【特許請求の範囲】
【請求項１】
利用者の頭回りよりも１割程度も大きな筒回りで且つ口元まで覆う程度の長さの大型タートルネック、前開き型ウエア本体、及び前記大型タートルネックの前側下端に結合された前垂れ部材とから成るタートルネックウエアであって、前記大型タートルネックは、その後側下端と前記前開き型ウエア本体の後側上端との縫合部をヒンジの中心軸として回動可能であることを特徴とするタートルネックウエア。
【請求項２】
前記大型タートルネックから前記前垂れ部材を最上層とする三層構造の後ろ方形衿への変更、及び、前記前垂れ部材を最上層とする三層構造の後ろ方形衿から大型タートルネックへの変更が、前記前開き型ウエア本体を着たままの状態で可能なことを特徴とする請求項１に記載のタートルネックウエア。
【請求項３】
前記大型タートルネックは、前側タートルネック部材とその下端に一体に結合された前垂れ部材、及び後側タートルネック部材で構成されたものであることを特徴とする請求項１又は２に記載のタートルネックウエア。
【発明の詳細な説明】
【技術分野】
【０００１】
本発明は、大型タートルネックをウエア本体に縫合して構成したタートルネックウエアの改良に関する。
【背景技術】
【０００２】
大型タートルネックを被り型ウエア本体に縫合したタートルネックウエアは、特許文献１と特許文献２に開示されている如きもので、パジャマ上着として使用すると、大型タートルネックがネックウォーマーと就寝時マスクとして機能し、喉の乾燥を防止するウエアである。これらの特許文献に開示された特許発明は、就寝時マスクにもなるタートルネックウエアとして製品化され、喉の弱い人、風邪をひきやすい人、寝つきの悪い人などに広く愛用されている。
なお、本明細書で大型タートルネックとは、利用者の頭回りよりも１割程度も大きな筒回りで、口元まで覆う程度の長さのタートルネックである。
【０００３】
上述の特許発明の就寝時マスクにもなるタートルネックウエアが、喉の乾燥防止効果と手足への血流増進効果を奏するのは、ネックウォーマーとなるタートルネックが大型タートルネックであること、及び大型タートルネックがウエア本体に縫合されているからである。
【０００４】
このような構造であるため、夜寝てから朝起きるまで大型タートルネックが利用者の口元から首周りを安定的に且つ圧迫感なく覆い続ける。すると、利用者のウエア本体内に溜まっている温かい空気が大型タートルネックの筒部内側と利用者の首周りとの間の隙間を通過して、その上端から外部に排出される。いわゆる衣服の煙突効果である。この温かい空気は、利用者の体熱で３３℃程度に温められ且つ発汗で５０％程度に湿った空気である。従って、利用者の口元から首周りは布団内と同じように、睡眠に適した最適なぬくもりに夜寝てから朝起きるまで保たれる。この最適なぬくもりで、喉の乾燥が防止されるだけでなく、手足の動静脈吻合が開いて手足の末端への温かい血流増加が促進され、手足の冷えが防止されるのである。
【０００５】
もし、タートルネックが首周りに密着するネックウォーマーであったら、ウエア本体内で利用者の体熱で３３℃程度に温められ且つ発汗で５０％程度に湿った温かい空気は外部に排出され難く、ウエア本体内が温かくなり過ぎ、利用者は布団を剥いだり、目が覚めたりする。同様に、もし、大型タートルネックがウエア本体に縫合されていなかったら、上述の温かい空気は利用者の首元から外部に排出するから、利用者は首周りに冷気を感じ、目が覚める。周知の如く、一般的なネックウォーマーを着け、或いはマフラーを首周りに巻いて寝ても、喉の乾燥が防止されないし、手足の冷えが防止できない。その理由は、このような方法では、利用者の首周りが睡眠に適した最適なぬくもりに夜寝てから朝起きるまで保たれないためである。
【０００６】
上述の特許製品の就寝時マスクにもなるタートルネックウエアは被り型ウエアであるから、腕の上がり難い人には着脱が難しい。即ち、タートルネックウエアを着る方法は、「ウエアの見頃の下端から被り、タートルネックに先ず頭を通し、その後に袖に腕を通す」のが一般的である。また、タートルネックウエアを脱ぐ方法は、「両腕を交差させ、ウエアの見頃の下端を両手で頭上まで持ち上げ、タートルネックから頭を抜き、その後にウエア本体を頭から抜く」という方法、又は「タートルネックをその上端部をつかんで頭上高く持ち上げ、タートルネックを頭から脱ぎ、その後にウエア本体を頭から脱ぐ」という方法が一般的である。従って、腕が上がり難い人や腕力や握力が弱い人には、タートルネックウエアの着脱は極めて難しい。
【０００７】
タートルネックウエアやハイネックウエアの着脱を容易にする構造は、いくつか提案されている。特許文献３に記載のウエアは、ハイネックとウエア本体の肩部に連続するファスナーを取り付ける構造である。特許文献４に記載のウエアは、タートルネックとウエア本体とをファスナー等の着脱手段で結合したタートルネックウエアである。
【０００８】
しかしながら、特許文献３と特許文献４に記載のウエア構造では、ファスナーが取り付けられた部分は布の柔軟性を完全に損なうから、前記大型タートルネックが奏する優しく包み込まれるような着用感が失われてしまう。これでは、上記特許発明を構成する大型タートルネックの特徴、即ち首回りに圧迫感を与えないこと、及び自分の体熱を効果的に蓄積できる空気層を形成するという特徴が失われてしまう。
【特許文献１】特許第４１８７７８４号公報
【特許文献２】特許第５２２４５１６号公報
【特許文献３】実用新案登録第３１２８９３１号公報
【特許文献４】実開平６−８３７１８号公報
【発明の開示】
【発明が解決しようとする課題】
【０００９】
本発明が解決しようとする第１の課題は、大型タートルネックをウエア本体に縫合して構成されたタートルネックウエアにおいて、腕が上がり難い人にも着脱し易いタートルネックウエアを提供することである。
本発明が解決しようとする第２の課題は、大型タートルネックをウエア本体に縫合して構成されたタートルネックウエアの機能性とファッション性を高めることである。
【課題を解決するための手段】
【００１０】
上記課題を解決するタートルネックウエアは、利用者の頭回りよりも１割程度も大きな筒回りで且つ口元まで覆う程度の長さの大型タートルネック、前開き型ウエア本体、及び前記大型タートルネックの前側下端に結合された前垂れ部材とから成るタートルネックウエアであって、前記大型タートルネックは、その後側下端と前記前開き型ウエア本体の後側上端との縫合部をヒンジの中心軸として回動可能であることを特徴とするものである。
【発明の効果】
【００１１】
本発明に係るタートルネックウエアは、上述の如き構造であるから、前開き型ウエア本体を着たままで、大型タートルネックを前開き型ウエア本体との縫合部分をヒンジの中心軸として回動させることが可能となり、腕が上がり難い人でも容易に着脱できるようになった。
また、本発明に係るタートルネックウエアは、上述の如き構造であるから、タートルネックウエアから後ろ方形衿のウエアに、逆に、後ろ方形衿のウエアからタートルネックウエアに簡単に変更できるようになり、機能性とファッション性が高まった。
【発明を実施するための最良の形態】
【００１２】
本発明に係るタートルネックウエアは、綿生地製若しくはシルク生地製の前側タートルネック部材と後側タートルネック部材のそれぞれの両端を縫合して製作された大型タートルネックと前開き型ウエア本体とで構成されたものであって、前記大型タートルネックはその後側下端だけが前記ウエア本体に縫合されていること、及びその前側下端には前垂れ部材が結合されていることを特徴とするものである。
【実施例１】
【００１３】
本発明の実施例１は、喉の弱い人のためのパジャマに適したタートルネックウエアである。即ち、図１の正面図と図２の背面図に示す如く、就寝時マスクにもなる大型タートルネック１０を、前開き型ウエア２０に部分的に縫合して構成したタートルウエアである。
【００１４】
実施例１を構成する大型タートルネック１０は、その長さが利用者の肩から耳上付近までであり、且つその筒周りが利用者の頭周りより１割から２割程度も大きいものである。このサイズは、特許文献１と特許文献２に記載のタートルネックウエアの大型タートルネックと同じである。一般的なタートルネックウエアのタートルネックは常にテンションがかかった伸びた状態で着用するものであるから、高い伸縮性の生地をその伸縮方向を横にして用い、その筒回りは利用者の頭周りより１割から２割程度も小さいサイズである。このような一般的なタートルネックと比較すると、本発明を構成する就寝時マスクにもなる大型タートルネックが如何に大型であるかが容易に理解されよう。因みに、実施例１の大型タートルネック１０は、その衿丈ｄ１  が２２ｃｍ、その衿幅ｄ２  が３０ｃｍである。
【００１５】
大型タートルネック１０は、伸縮方向を縦に且つ二重にした綿生地をカットパターンに合わせてカットした前側タートルネック部材１１と後側タートルネック部材１２から成り、これら２つの部材の両端を縫合して構成されている。後側タートルネック部材１２にカットパターンは大型タートルネック１０の衿丈と衿幅に夫々縫い代分を足したサイズの方形である。一方、前側タートルネック部材１１の下端には略同じパターンの前垂れ部材１３が一体に形成されているので、これらを合わせたカットパターンは大型タートルネック１０の衿丈の２倍と衿幅に夫々縫い代分を足したサイズの方形である。大型タートルネック１０を筒状にした斜視図を示すと、図３の通りである。なお、大型タートルネック１０の生地は、肌に優しい綿１００％の高級綿ジャージー生地であるコーマスムース生地である。
【００１６】
上述した通り、前側タートルネック部材１１と後側タートルネック部材１２はいずれも、綿生地を二重にして形成されている。一重では大型タートルネック１０が着用時に腰折れしてしまい、首周りの保温機能が損なわれるからである。
【００１７】
実施例１を構成する前開き型ウエア本体２０は、図４と図５に示す如く、前身頃２１と後身頃２２と長袖２３で構成されている。前身頃２１は、左前身頃と右前身頃と開閉部２０ｃで構成されている。Ｍサイズの前開き型ウエア本体２０の身丈ｄ３  は６４ｃｍ、身幅ｄ４  は５２ｃｍ、袖丈ｄ５  は６２ｃｍである。これらの数値から分かるように、一般的なパジャマに比較すると、実施例１のタートルネックウエアのウエア本体２０は、最適な着心地と寝心地が得られるゆったりしたサイズである。なお、前開き型ウエア本体２０の生地は、肌に優しい綿１００％の高級綿ジャージー生地であるコーマスムース生地である
【００１８】
前開き型ウエア本体２０の前身頃２１の開閉部２０ｃは、中心付近が左右に開けるような構造であり、左前身頃と右前身頃はボタンで留めるようになっている。しかしながら、前開き型ウエア本体２０は浴衣のように合わせ型であってもよい。ボタン留めでなく、紐や帯で留めるようにしてもよい。
【００１９】
上述の如き構造の大型タートルネック１０と前開き型ウエア本体２０は、次のように結合されている。即ち、大型タートルネック１０の後側下端である後側タートルネック部材１２の下端１２ｂは、前開き型ウエア本体２０の後側上端２０ｂに縫合されている。前開き型ウエア本体２０の後側上端２０ｂに縫合されている大型タートルネック１０の下端は、その全周ではなく後ろ半分だけである。従って、大型タートルネック１０の後側下端と前開き型ウエア本体２０の後側上端２０ｂとの縫合部は、大型タートルネック１０と前開き型ウエア本体２０との唯一の結合部である。そして、前記縫合部は、後述するとおり、前開き型ウエア本体２０を着たままの状態で大型タートルネック１０を被ったり、被ったタートルネック１０を脱いだりする際のヒンジの中心軸として機能する。

【００２０】
大型タートルネック１０の前側タートルネック部材１１は前開き型ウエア本体２０に縫合されないので、その下端に一体に形成されている前垂れ部材１３の左右の端部も下端１３ｂも自由端である。前垂れ部材１３は、前側タートルネック部材１１の下端に一体に形成されているが、前側タートルネック部材１１とは別の布部材を方形に裁断し、これを前側タートルネック部材１１の下端に縫合して形成してもよい。
【００２１】
（着脱方法）
実施例１の就寝時マスクにもなる大型タートルネック１０を前開き型ウエア本体２０に部分的に縫合して構成したタートルネックウエアを着る方法は次の通りである。先ず、利用者は左右の袖２３に腕を通して前開き型ウエア２０を着用する。説明するまでもなく、前開き型ウエア２０を着用することは、腕が上がり難い人、腕力や握力が弱い人でも簡単である。前開き型ウエア２０を着用し終わった状態は、図５の背面図と図１０の着用状態の背面図に示すように、大型タートルネック１０は利用者の背中側に方形になって垂れ、方形衿に変形している。
【００２２】
上述の如く、大型タートルネック１０の後側下端と前開き型ウエア本体２０の後側上端２０ｂとの縫合部は、利用者の後ろ首の付け根の付近で衿幅ｄ２  の水平なヒンジの中心軸となっている。このため、前開き型ウエア本体２０を着終わった状態では、図５と図１０に示す如く、大型タートルネック１０は前記ヒンジの中心軸を上端にした方形衿になっている。前記方形衿の下端は、大型タートルネック１０の上端である。このため、前記方形衿は後側タートルネック部材１２、前側タートルネック部材１１、及び前垂れ部材１３がこの順に重なった三層構造になっている。なお、前垂れ部材１３は、上記ヒンジの中心軸の上で裏返されている。
【００２３】
図５と図１０に示す着用状態で、利用者が前記方形衿を掴んで引っ張ると、大型タートルネック１０は前記ヒンジの中心軸で回動し、頭から簡単に被ることが出来る。この動作は、フード付きウエアのフードを頭から被るのと殆ど変らない。なお、この場合、垂れ部材１３は大型タートルネック１０を被る際に最適の掴み箇所となる。従って、腕が上がり難い人、腕力や握力が弱い人でも、大型タートルネック１０を簡単に被ることが出来るのである。
【００２４】
大型タートルネック１０を被り終わった状態の一例は、図８の着用状態の正面図に示す如くである。大型タートルネック１０は、その長さが利用者の肩から耳上付近までであり、且つその筒周りが利用者の頭周りより１割から２割程度も大きいものであるから、被り終わった状態では上端部が下方に落ちてしまう。そこで、用途に応じて大型タートルネック１０の着用位置を調節することになる。
【００２５】
実施例１の大型タートルネック１０を前開き型ウエア本体２０に部分的に縫合して構成したタートルネックウエアを脱ぐ方法は、上述の着る方法とは逆の順序となる。先ず、利用者はウエア本体２０を着たままの状態で前傾姿勢をとる。すると大型タートルネック１０の前垂れ部材１３は裏側を上にして垂れ下がる。そこで、前垂れ部材１３を掴んで引っ張ると、大型タートルネック１０を頭から簡単に脱ぐことができる。勿論、前傾姿勢をとらなくても、大型タートルネック１０を頭から脱ぐことは簡単にできる。この動作は、フード付きウエアのフードを頭から脱ぐのと殆ど変らない。
【００２６】
大型タートルネック１０を脱ぎ終わると、図９と図１０に示すように、大型タートルネック１０は利用者の背中側に方形衿になって垂れている。この後に、前開き型ウエア本体２０を脱ぐ。従って、実施例１の大型タートルネック１０を前開き型ウエア本体２０に部分的に縫合して構成したタートルネックウエアを脱ぐことは簡単である。
【００２７】
（様々な用途）
本発明に係るタートルネックウエアは、大型タートルネックを前開き型ウエア本体に縫合して構成されたタートルネックウエアであって、前記タートルネックはその後側下端だけが前記ウエア本体に縫合されていること、及びその前側下端に前垂れ部材を有するものであることを特徴とするものである。このような構造であるため、大型タートルネックはオフタートルネックや方形衿に簡単に変形することが出来る。その結果、本発明に係るタートルネックウエアは、オフタートルネックウエアや後ろ方形衿のウエアに簡単に変えることが出来るので、機能性とファッション性を兼ね備えたウエアである。以下に本発明に係るタートルネックウエアのいくつかの用途を説明する。
【００２８】
本発明に係るタートルネックウエアの用途は、パジャマ上着、又はパジャマの重ね着である。大型タートルネックを被り終わった後に、前垂れ部材１３をウエア本体２０の前身頃の中に収納し、前開き型ウエア本体２０の左右の前身頃の両端をボタンなどの留め具によって閉じ、そして、大型タートルネック１０をその上端が耳付近までなるように引き上げる。すると、本発明に係るタートルネックウエアは、図９の着用状態の正面図の如くになり、大型タートルネック１０の下端前部がウエア本体２０に縫合された大型タートルネックウエアと機能的に変わらなくなる。ウエア本体２０の前身頃の上端部と大型タートルネック１０との間に外部への隙間が実質的になくなるからである。このため、パジャマ上着として着用すると、利用者のウエア本体内に溜まっている温かい空気が大型タートルネックの筒部内側と利用者の首周りとの間の隙間を通過して、その上端から外部に排出される。いわゆる衣服の煙突効果によって、首周りに睡眠に適した約３３℃の温度と約５０％の湿度の温かい空気が常に通過することになる。従って、睡眠時の喉の乾燥が防止され、手足の冷えもなくなる。
【００２９】
本発明に係るタートルネックウエアの用途は、室内着や外出着である。大型タートルネックを被り終わった後に、前垂れ部材１３をウエア本体２０の前身頃の中に収納し、前開き型ウエア本体２０の左右の前身頃の両端をボタンなどの留め具によって閉じ、そして、大型タートルネック１０を２つ折りにすると図１０の正面図の如くになる。即ち、いわゆるオフタートルネックウエアとなる。従って、ファッション性のある室内着や外出着に使用できる。
【００３０】
本発明に係るタートルネックウエアの用途は、湿度が極めて低い飛行機の客室内、或いはクーラーが効いたコンサートホールや劇場などで着用する保温着を兼ねたネックウォーマーである。本発明に係るタートルネックウエアを着用した利用者は、狭い客席や座席に着席したままでタートルネックウエアを後ろ方形衿のウエアに簡単に変えることができ、後ろ方形衿のウエアをタートルネックウエアに簡単に変えることができる。通常の着替えるという動作が不要であるから、このファッションを変える速さは一瞬と言っていいぐらいの素早さである。タートルネックウエアから後ろ方形衿のウエアへの変更は、利用者が暑さを感じた時に大型タートルネックを脱ぐことによって行われる。逆に、後ろ方形衿のウエアからタートルネックウエアへの変更は、首周りに冷気を感じた場合や乾燥を感じた場合に行われる。外出先でも、用途に応じてタートルネックウエア、オフタートルネックウエア、後ろ方形衿のウエアのいずれにも簡単に変えることができるのである。
【００３１】
以上、前垂れ部材１３を前開き型ウエア本体２０の前身頃２１の中に収納した利用方法を説明したが、本発明に係るタートルネックウエアは前開き型ウエア本体２０の前身頃２１の外に出したままでも、用途に応じて使い分けることが可能である。前垂れ部材１３の形状やカラーを選ぶことによりファッション性を高めることもできる。
【００３２】
本発明に係るタートルネックウエアの用途は、もう一つの室内着や外出着である。この場合の室内着や外出着は、利用者の正面図である図９と背面図である図１０に示す如く、大型タートルネック１０を方形衿とした後ろ方形衿のウエアである。この方形衿は、大型タートルネック１０の後側下端と前開き型ウエア本体２０の後側上端２０ｂとの概ね水平な縫合部をヒンジの中心軸として垂れ下がっている。このため、この方形衿を構成する後側タートルネック部材１２、前側タートルネック部材１１及び前垂れ部材１３は重なっており、分厚いながらも１枚の方形衿に見える。ところで、フード付きウエアの利用者がフードを脱いで背中に垂らしている姿は、大きな口を半開きにした袋を背中につけているように見える場合がある。このようなフード付きウエアと比べると、本発明に係る大型タートルネック１０を方形衿とした後ろ方形衿のウエアは、極めてファッション性があることは明らかである。
【００３３】
以上、本発明をパジャマ上着やパジャマの重ね着に適したタートルネックウエアとして、実施例１で詳細に説明した。このため、使用した生地は肌に優しい綿１００％の高級綿ジャージー生地であるコーマスムース生地であるが、パジャマ上着やパジャマの重ね着でなければ、その用途に合った様々な生地を用いることが出来ることは勿論である。また、大型タートルネック１０を前側タートルネック部材、前垂れ部材、後側タートルネック部材の３つの布部材で構成し、これらの横幅は同じとしたが、これに限定するものではないことは明らかであろう。
【図面の簡単な説明】
【００３４】
【図１】実施例１のタートルネックウエアの正面図である。
【図２】実施例１のタートルネックウエアの背面図である。
【図３】実施例１のタートルネックウエアを構成する大型タートルネックの斜視図である。
【図４】実施例１のタートルネックウエアを構成する前開き型ウエア本体の正面図である。
【図５】大型タートルネックを後ろに垂らした状態で示した実施例１のタートルネックウエアの背面図である。
【図６】実施例１の着用例で、前垂れ部材を前開き型ウエア本体の外に出した実施例１のタートルネックウエアとして着用した利用者の正面図である。
【図７】実施例１の着用例で、前垂れ部材を前開き型ウエア本体の中に収納したタートルネックウエアとして着用した利用者の正面図である。
【図８】実施例１の着用例で、前垂れ部材を前開き型ウエア本体の中に収納し、大型タートルネックを２つ折りにしたオフタートルネックウエアとして着用した利用者の正面図である。
【図９】実施例１の着用例で、大型タートルネックを方形衿とした後ろ方形衿のウエアを着用した利用者の正面図である。
【図１０】実施例１の着用例で、大型タートルネックを方形衿とした後ろ方形衿のウエアとして着用した利用者の背面図である。
【符号の説明】
【００３５】
１０  大型タートルネック
１１  前側タートルネック部材
１１ａ  前側タートルネック部材の上端
１２  後側タートルネック部材
１２ａ  後側タートルネック部材の上端
１２ｂ  後側タートルネック部材の下端
１３  前垂れ部材
１３ａ  前垂れ部材の上端
１３ｂ  前垂れ部材の下端
２０  前開き型ウエア本体
２０ａ  前開き型ウエア本体の前側上端
２０ｂ  前開き型ウエア本体の後側上端
２０ｃ  前開き型ウエア本体の開閉部
２１  前身頃
２２  後身頃
２３  袖
ｄ１  衿丈
ｄ２  衿幅
ｄ３  身丈
ｄ４  身幅
ｄ５  袖丈
【要約】      （修正有）【課題】タートルネックをウエア本体に縫合して構成されたタートルネックウエアにおいて、腕が上がり難い人でも着脱し易い構造にすること。【解決手段】マスクにもなる大型タートルネック１０を前開き型ウエア本体２０に部分的に縫合して構成されたタートルネックウエアであり、大型タートルネック１０は、その後側下端だけがウエア本体２０に縫合され、その前側下端はウエア本体２０に縫合されていなく、そして、大型タートルネック１０の前側下端には前垂れ部材１３が一体に形成されている。【選択図】図１【図１】
0005846667.tif 000002
【図２】
0005846667.tif 000003
【図３】
0005846667.tif 000004
【図４】
0005846667.tif 000005
【図５】
0005846667.tif 000006
【図６】
0005846667.tif 000007
【図７】
0005846667.tif 000008
【図８】
0005846667.tif 000009
【図９】
0005846667.tif 000010
【図１０】
0005846667.tif 000011